(57)【要約】【課題】実用性の向上を図りつつ、マルチコアファイバに適用することができる光合分波部品を提供する。【解決手段】光合分波部品１は、ＭＣＦ１０及びＧＲＩＮレンズ１２を有する第１のファイバユニットと、ＭＣＦ２０及びＧＲＩＮレンズ２２を有する第２のファイバユニットと、第１のファイバユニットのＧＲＩＮレンズ１２と第２のファイバユニットのＧＲＩＮレンズ２２との間に介在し、ＭＣＦ１０，２０のコアから出射された光の透過光及び反射光をＭＣＦ１０，２０のコアに入射させる光学フィルタ３０とを備えている。第１のファイバユニットでは、ＭＣＦ１０の先端とＧＲＩＮレンズ１２の一端とが互いに当接するように保持されており、第２のファイバユニットでは、ＭＣＦ２０の先端とＧＲＩＮレンズの一端とが互いに当接するように保持されている。【選択図】図１
2013225010.tif 000002
【特許請求の範囲】
【請求項１】
第１のマルチコアファイバ及び第１の屈折率分布型光学部品を有する第１のファイバユニットと、
第２のマルチコアファイバ及び第２の屈折率分布型光学部品を有する第２のファイバユニットと、
前記第１のファイバユニットの前記第１の屈折率分布型光学部品と前記第２のファイバユニットの前記第２の屈折率分布型光学部品との間に介在し、前記第１のマルチコアファイバの何れかのコアから出射された光の透過光及び反射光の少なくとも一方を、前記第１及び第２のマルチコアファイバの何れかのコアに入射させる光学フィルタと、を備え、
前記第１のファイバユニットでは、前記第１のマルチコアファイバの先端と前記第１の屈折率分布型光学部品の一端とが互いに当接するように保持されており、且つ、前記第２のファイバユニットでは、前記第２のマルチコアファイバの先端と前記第２の屈折率分布型光学部品の一端とが互いに当接するように保持されていることを特徴とする光合分波部品。
【請求項２】
前記第１のマルチコアファイバの外径と前記第1の屈折率分布型光学部品の外径とが同じであることを特徴とする請求項１に記載の光合分波部品。
【請求項３】
前記第１のマルチコアファイバの先端と前記第1の屈折率分布型光学部品の一端とが互いに固着していることを特徴とする請求項１又は２に記載の光合分波部品。
【請求項４】
前記第１のマルチコアファイバの先端と前記第1の屈折率分布型光学部品の一端とが融着接続していることを特徴とする請求項３に記載の光合分波部品。
【請求項５】
前記第１のマルチコアファイバは、前記第1の屈折率分布型光学部品との当接端部においてコア径が他の部分より拡大されていることを特徴とする請求項１〜４の何れか一項に記載の光合分波部品。
【請求項６】
前記光学フィルタは、前記第１及び第２の屈折率分布型光学部品に挟持されて押圧されており、当該押圧により、透過特性が調整されていることを特徴とする請求項１〜５の何れか一項に記載の光合分波部品。
【請求項７】
前記第１及び第２のファイバユニットを挟持するコネクタ部品を更に備え、
前記コネクタ部品は、前記第１及び第２のファイバユニットが対向して押圧されるように弾性保持する弾性保持機構を有することを特徴とする請求項１〜６の何れか一項に記載の光合分波部品。
【請求項８】
前記光学フィルタは、前記弾性保持機構によるバネ圧による透過又は反射スペクトルシフトによって所望のスペクトルが得られるよう予め調整されていることを特徴とする請求項７に記載の光合分波部品。
【請求項９】
前記第１のマルチコアファイバの複数のコアは、前記マルチコアファイバの中心軸に対して対称となるように配置され、当該対称となるように配置された対のコア間のピッチが他の対のコア間のピッチと同じであることを特徴とする請求項１〜８の何れか一項に記載の光合分波部品。
【請求項１０】
前記第１のマルチコアファイバの複数のコアは、前記マルチコアファイバの中心軸に対して対称となるように配置され、当該対称となるように配置された対のコア間のピッチが他の対のコア間のピッチと異なっていることを特徴とする請求項１〜８の何れか一項に記載の光合分波部品。
【発明の詳細な説明】
【技術分野】
【０００１】
本発明は、光合分波部品に関し、特に光通信に用いられる光合分波部品に関する。
【背景技術】
【０００２】
従来、１つの放送局と複数の加入者との間の光通信を可能にするＦＴＴＨ（Fiber TO The Home）サービスを提供するため、光スプリッタを介在させることで１本の光ファイバを各加入者が共有する、いわゆるＰＯＮ（Passive Optical Network）システムが実現されている。ＰＯＮシステムでは、各波長の光を合分波させるために、ＷＤＭフィルタモジュール（例えば特許文献１参照）が使用されている。このような状況において、昨今、映像、電話及びインターネットを一括で提供するトリプルプレイが急速に普及しており、ＰＯＮの一種である光アクセスシステムＢ−ＰＯＮ（Broadband-Passive Optical Network）において、映像と電話及びインターネットなどのＩＰ信号とを合分波するＷＤＭフィルタモジュールが使用されている。
【先行技術文献】
【特許文献】
【０００３】
【特許文献１】特許第４００２１４４号公報
【発明の概要】
【発明が解決しようとする課題】
【０００４】
上述したＷＤＭフィルタモジュールは、光アクセスシステムＢ−ＰＯＮにおいて、局側と加入者側に設けられる。特に局側では、情報伝達量の増加に伴い、配線の輻輳化（Congestion）が問題となってきている。その対策の一案として、１本のファイバに複数のコアを設けたマルチコアファイバ（ＭＣＦ）の実用化が検討されている。しかしながら、従来のＷＤＭフィルタモジュールは、単芯コアファイバに接続することが前提となっており、マルチコアファイバに接続することはできなかった。
【０００５】
本発明は、上述の課題を解決するためになされたものであり、マルチコアファイバに適用することが可能な光合分波部品を提供することを目的とする。
【課題を解決するための手段】
【０００６】
本発明に係る光合分波部品は、第１のマルチコアファイバ及び第１の屈折率分布型光学部品を有する第１のファイバユニットと、第２のマルチコアファイバ及び第２の屈折率分布型光学部品を有する第２のファイバユニットと、第１のファイバユニットの第１の屈折率分布型光学部品と第２のファイバユニットの第２の屈折率分布型光学部品との間に介在し、第１のマルチコアファイバの何れかのコアから出射された光の透過光及び反射光の少なくとも一方を、第１及び第２のマルチコアファイバの何れかのコアに入射させる光学フィルタとを備えている。この光合分波部品は、第１のファイバユニットでは、第１のマルチコアファイバの先端と第１の屈折率分布型光学部品の一端とが互いに当接するように保持されており、且つ、第２のファイバユニットでは、第２のマルチコアファイバの先端と第２の屈折率分布型光学部品の一端とが互いに当接するように保持されていることを特徴としている。
【０００７】
この光合分波部品では、第１のファイバユニットにおいて、第１のマルチコアファイバの先端と第１の屈折率分布型光学部品の一端とが互いに当接するように保持されており、第２のファイバユニットにおいて、第２のマルチコアファイバの先端と第２の屈折率分布型光学部品の一端とが互いに当接するように保持されている。そして、このように互いに当接された第１及び第２のファイバユニットの間に、光学フィルタを介在させるようになっている。このような構成により、本発明に係る光合分波部品は、マルチコアファイバに適用することが可能となっている。
【０００８】
また、この光合分波部品では、各ファイバユニットにおいて、マルチコアファイバの先端と屈折率分布型光学部品の一端とが互いに当接するように保持されている。この場合、マルチコアファイバから出射するビームが確実に屈折率分布側光学部品に入射するので、マルチコアファイバの先端と屈折率分布型光学部品の一端との間でのビームの反射ロスを低減させることが可能である。また、このように反射するビームが低減されることにより、反射したビームが出射元のシステムに戻って雑音となりシステム全体へ影響を与えることを好適に抑制することもできる。
【０００９】
上記の光合分波部品では、第１のマルチコアファイバの外径と第1の屈折率分布型光学部品の外径とが同じであることが好ましい。この場合、第１のマルチコアファイバと第１の屈折率分布型光学部品との軸合わせを容易に行うことができる。
【００１０】
上記の光合分波部品では、第１のマルチコアファイバの先端と第1の屈折率分布型光学部品の一端とが互いに固着していることが好ましい。また、この場合において、第１のマルチコアファイバの先端と第1の屈折率分布型光学部品の一端とが融着接続していることが更に好ましい。これにより、第１のマルチコアファイバと第１の屈折率分布型光学部品との当接が確実となり、使用時にずれたりすることが低減される。なお、第２のマルチコアファイバと第２の屈折率分布型光学部品とも同様に固着又は融着接続されていることが好ましい。
【００１１】
上記の光合分波部品では、第１のマルチコアファイバは、第1の屈折率分布型光学部品との当接端部においてコア径が他の部分より拡大されていてもよい。この場合、光の入射端となる端部のコア径が大きくなるため、光合分波部品全体をそれほど大きくすることなく、光の入射を確実に行わせるための光軸合わせを容易に行うことが可能となる。なお、上述したように、第１のマルチコアファイバを第１の屈折率分布型光学部品に融着接続する際の加熱処理によって第１のマルチコアファイバの当接端部のコア径を拡大するようにしてもよいし、他の処理によって第１のマルチコアファイバの当接端部のコア径を拡大するようにしてもよい。
【００１２】
上記の光合分波部品では、光学フィルタは、第１及び第２の屈折率分布型光学部品に挟持されて押圧されており、当該押圧により、透過特性が調整されていてもよい。
【００１３】
上記の光合分波部品は、第１及び第２のファイバユニットを挟持するコネクタ部品を更に備え、コネクタ部品は、第１及び第２のファイバユニットが対向して押圧されるように弾性保持する弾性保持機構を有していてもよい。この場合において、光学フィルタが、弾性保持機構によるバネ圧による透過又は反射スペクトルシフトによって所望のスペクトルが得られるよう予め調整されていてもよい。
【００１４】
上記の光合分波部品では、第１のマルチコアファイバの複数のコアは、マルチコアファイバの中心軸に対して対称となるように配置され、当該対称となるように配置された対のコア間のピッチが他の対のコア間のピッチと同じであってもよい。この場合、光学フィルタを挟む両マルチコアファイバを、中心軸を中心として回転させることで、光合分波部品に光スイッチの機能を備えるようにさせることもできる。
【００１５】
また、上記の光合分波部品では、第１のマルチコアファイバの複数のコアは、マルチコアファイバの中心軸に対して対称となるように配置され、当該対称となるように配置された対のコア間のピッチが他の対のコア間のピッチと異なるようにしてもよい。この場合、他の対のコアからのビームが別のコアに入射されるといったことが防止される。
【発明の効果】
【００１６】
本発明によれば、実用性の向上を図りつつ、マルチコアファイバに適用することができる光合分波部品を提供することができる。
【図面の簡単な説明】
【００１７】
【図１】第１実施形態に係る光合分波部品の断面構成を模式的に示した概略構成図である。
【図２】図１に示す光合分波部品のマルチコアファイバの断面構成を示す図であり、（ａ）は、ＩＩ（ａ）−ＩＩ（ａ）線に沿った部分断面図であり、（ｂ）は、ＩＩ（ｂ）−ＩＩ（ｂ）線に沿った部分断面図である。
【図３】図１に示す光合分波部品のマルチコアファイバを３組用いた場合を説明するための図である。
【図４】マルチコアファイバのコア配置の変形例を示す図である。
【図５】図１に示す光合分波部品を製造する方法を示す図である。
【図６】光学フィルタを押圧した際に光透過率が変化する状態を模式的に示した図である。
【図７】図１に示す光合分波部品を製造する別の方法を示す図である。
【図８】第２実施形態に係る光合分波部品を製造する方法を示す図である。
【図９】第３実施形態に係る光合分波部品を製造する方法を示す図である。
【図１０】光合分波部品の変形例を模式的に示す概略説明図である。
【発明を実施するための形態】
【００１８】
以下、添付図面を参照して、本発明の好適な実施形態について詳細に説明する。なお、説明において、同一要素又は同一機能を有する要素には、同一符号を用いることとし、重複する説明は省略する。
（第１実施形態）
【００１９】
まず、本発明の第１実施形態に係る光合分波部品１について、図１及び図２を参照しつつ説明する。
【００２０】
図１に示すように、光合分波部品１は、例えば、光アクセスシステムＢ−ＰＯＮにおいて映像とＩＰ信号とを合分波するＷＤＭフィルタモジュールである。光合分波部品１は、マルチコアファイバ（以下「ＭＣＦ」）１０，２０と、ＧＲＩＮレンズ１２，２２（屈折率分布型光学部品）と、フェルール１４，２４と、光学フィルタ３０とを備えている。
【００２１】
ＭＣＦ１０は、同一のクラッド内に複数のコアが互いの光軸が平行になるよう配置された光ファイバである。ＭＣＦ１０の複数のコアは、図２の（ａ）に示されるように、コア間距離がそれぞれ等しくなるように二次元状に配置されており、クラッドの中心位置に１つ（コア１０ａ）及びその周りに６０度間隔で６つ（１０ｂ〜１０ｇ）の計７つのコアが互いに等間隔となるように配置されている。コア１０ｂ〜１０ｇは、コア１０ａを中心として点対称になるように配置されており、３対のコア１０ｂ、１０ｃと、１０ｄ、１０ｇと１０ｅ，１０ｆが形成される。
【００２２】
ＭＣＦ１０において、隣り合うコアの間隔は同一で、たとえば０．０４５ｍｍ程度となっている。ＭＣＦ１０のクラッド径（外径）は、たとえばφ０．１５ｍｍ程度である。
【００２３】
ＧＲＩＮレンズ１２は、屈折率が半径の関数として放射線的に変化するレンズであり、レンズ長を調整することでレンズを透過するビームを所定箇所に集光する。ＧＲＩＮレンズ１２の外径はＭＣＦ１０の外径と同じである。ＧＲＩＮレンズ１２は、その一端がＭＣＦ１０の先端に当接されており、ＭＣＦ１０とＧＲＩＮレンズ１２とは融着接続によって互いに固着されている。この融着接続による当接で、ＭＣＦ１０とＧＲＩＮレンズ１２との間に空気層が形成されないようになっている。
【００２４】
ＧＲＩＮレンズ１２は、ＭＣＦ１０の外径と同じ外径となっているが、ＭＣＦ１０からの光がレンズ最外周に到達しない限り、その外径を適宜変更してもよい。また、ＧＲＩＮレンズ１２に代えて、ＧＩファイバ（Graded Index Fiber）を用いてもよい。ＧＩファイバを用いる場合も、ＭＣＦ１０からの光がＧＩのコア領域に収まる限り、その外径を適宜変更することが可能である。
【００２５】
なお、ＭＣＦ１０とＧＲＩＮレンズ１２とを融着によって接続すると、融着の際の加熱等によりＭＣＦ１０のコアのドーパント（例えばゲルマニウムなど）がクラッドに拡散し、ＭＦＤ（Mode Field Diameter）が若干拡大することがある。この現象により、ＭＣＦ１０は、ＧＲＩＮレンズ１２との当接端部（融着端部）においてコア径が他の部分よりも実質的に拡大されることとなる。この場合、ＭＦＤ拡大により、ＭＣＦ１０の軸ずれに対するトレランスが拡大される。
【００２６】
フェルール１４は、中空の円筒形状を呈しており、その内部に互いに融着接続されたＭＣＦ１０とＧＲＩＮレンズ１２とを保持する。このように配置されたＭＣＦ１０、ＧＲＩＮレンズ１２及びフェルール１４により、第１のファイバユニットが構成される。
【００２７】
ＭＣＦ２０は、ＭＣＦ１０と同様、同一のクラッド内に複数のコアが互いの光軸が平行になるよう配置された光ファイバである。ＭＣＦ２０の複数のコアは、図２の（ｂ）に示されるように、コア間距離がそれぞれ等しくなるように二次元状に配置されており、クラッドの中心位置に１つ（コア２０ａ）及びその周りに６０度間隔で６つ（２０ｂ〜２０ｇ）の計７つのコアが互いに等間隔となるように配置されている。なお、ＭＣＦ１０のクラッド径等もＭＣＦ１０と同様である。
【００２８】
ＧＲＩＮレンズ２２は、ＧＲＩＮレンズ１２と同様に、屈折率が半径の関数として放射線的に変化するレンズであり、レンズ長を調整することでレンズを透過するビームを所定の箇所に集光する。ＧＲＩＮレンズ２２の外径はＭＣＦ２０の外径と略同じである。ＧＲＩＮレンズ２２は、その一端がＭＣＦ２０の先端に当接されており、ＭＣＦ２０とＧＲＩＮレンズ２２とは融着接続によって互いに固着されている。ＧＲＩＮレンズ２２でも、融着接続による当接で、ＭＣＦ２０とＧＲＩＮレンズ２２との間に空気層が形成されないようになっている。
【００２９】
フェルール２４は、中空の円筒形状を呈しており、その内部に互いに融着接続されたＭＣＦ２０とＧＲＩＮレンズ２２とを保持する。このように配置されたＭＣＦ２０，ＧＲＩＮレンズ２２及びフェルール２４により、第２のファイバユニットが構成される。
【００３０】
光学フィルタ３０は、所定の波長（例えばλ１，λ２）を透過させる一方、他の波長（例えばλ３）を反射させる多層膜フィルタである。光学フィルタ３０は、第１のファイバユニットを構成するＧＲＩＮレンズ１２と第２のファイバユニットを構成するＧＲＩＮレンズ２２との間に介在するように配置される。具体的には、ＷＤＭフィルタ３０は、第１のファイバユニットの端面に蒸着によって接続されており、第２のファイバユニットには、接着剤を用いて接続されている。この接着剤としては、光透過性の光学用接着剤を適宜用いることができる。なお、後述するように、多層膜からなる光学フィルタ３０は、積層面に対して圧力をかけることで光を透過させる波長帯域をシフトさせることができる特性を有している（図６参照）。
【００３１】
このような構成を備えた光合分波部品１では、ＭＣＦ１０のコア１０ｂに入射された波長λ１（例えば１３１０ｎｍ）の光を光学フィルタ３０を透過させて第２のファイバユニットのＭＣＦ２０のコア２０ｃへ光Ｌ１，Ｌ３として入射させると共に、ＭＣＦ２０のコア２０ｃに入射された波長λ２（例えば１４９０ｎｍ）の光を光学フィルタ３０を透過させて第１のファイバユニットのＭＣＦ１０のコア１０ｂへ光Ｌ３，Ｌ１として入射させる。一方、光合分波部品１では、ＭＣＦ１０のコア１０ｃに入射された波長λ３（例えば１５５０ｎｍ）の光を光学フィルタ３０で反射させてＭＣＦ１０の別のコア１０ｂに入射させる。つまり、ＭＣＦ１０のコア１０ｂ，１０ｃが一対のコアとなり、この一対のコアに対応するＭＣＦ２０のコアがコア２０ｃとなっており、これらコアは、図１では実線によって、図２では黒塗りによって表されている。
【００３２】
このような光合分波部品１をＢ−ＰＯＮシステム（不図示）に適用した場合、例えば、上述したＭＣＦ１０のコア１０ｂは加入者端末に向かう回線に接続され、ＭＣＦ１０のコア１０ｃは局側の映像系装置Ｖ−ＯＬＴに接続され、ＭＣＦ２０のコア２０ｃは局側のデータ系装置Ｂ−ＯＬＴ（インターネットなど）に接続される。そして、このように接続された光合分波部品１では、上述したλ１の信号が例えば加入者からの上りＩＰ通信信号となり、λ２の信号が例えば局側からのインターネットなどの下りＩＰ信号となり、λ３の信号が例えば映像系の信号となる。
【００３３】
上述した例では、Ｂ−ＰＯＮシステムに適用した場合の説明を容易にするため、ＭＣＦ１０のコア１０ｂ、１０ｃ及びＭＣＦ２０のコア２０ｃの一組だけを用いて説明したが、各ＭＣＦ１０，２０が７つのコアを有している場合には、１つのモジュールで三組分の役割を果たすことができる。つまり、図３に示されるように、ＭＣＦ１０のコア１０ｂ，１０ｃ及び対応するＭＣＦ２０のコア２０ｃの組と，ＭＣＦ１０のコア１０ｄ，１０ｇ及び対応するＭＣＦ２０のコア２０ｇの組と、ＭＣＦ１０のコア１０ｅ，１０ｆ及び対応するＭＣＦ２０のコア２０ｆの組との三組を１つの光合分波部品１内に設けることができる。なお、上述した例では、各組に含まれるＭＣＦ１０の対のコアはＭＣＦ１０の中心軸を中心としてすべて同じ距離となるように点対称に配置されているが、図４に示されるように、いずれかの対のコア（例えばコア１０ｂ，１０ｃ）間のピッチが他の対のコア（例えば１０ｄ，１０ｇ）間のピッチと異なるように配置してもよい。
【００３４】
次に、上述した光合分波部品１の製造方法を、図５を参照しながら、簡単に説明する。
【００３５】
まず、ＭＣＦ１０の先端とＧＲＩＮレンズ１２の一端とを融着接続させ、融着接続されたＭＣＦ１０とＧＲＩＮレンズ１２とをフェルール１４内に配置し、これにより、第１のファイバユニットを形成する。また、ＭＣＦ２０の先端とＧＲＩＮレンズ２２の一端とを融着接続させ、融着接続されたＭＣＦ２０とＧＲＩＮレンズ２２とをフェルール２４内に配置し、これにより、第２のファイバユニットを形成する。
【００３６】
続いて、図５の（ａ）に示されるように、第１のファイバユニットの端面に多層膜フィルタである光学フィルタ３０を蒸着により形成する。そして、光学フィルタ３０が蒸着された第１のファイバユニットと第２のファイバユニットとを接着剤を用いて互いに接着固定する。これにより、図５の（ｂ）に示される光合分波部品１が形成される。なお、光学フィルタ３０が蒸着された第１のファイバユニットと第２のファイバユニットとを、荷重をかけながら固着してもよい。この場合、多層膜フィルタからなる光学フィルタ３０が、図６に示されるように、荷重をかけることにより透過／反射させる波長帯域が荷重前の帯域から荷重後の帯域へとシフトするので、荷重をかけることによりフィルタ特性（透過特性）を調整することができる。
【００３７】
また、上述した光合分波部品１を製造する際に、図７に示されるように、第１及び第２のファイバユニットを用意した後、両ファイバユニットの間に光学フィルタ３０を介在させ、その後、上記同様にそれぞれを接着剤で固定したり、または荷重をかけながら固定したりしてもよい。
【００３８】
以上、説明したとおり、光合分波部品１では、第１のファイバユニットにおいて、ＭＣＦ１０の先端とＧＲＩＮレンズ１２の一端とが互いに当接するように保持されており、第２のファイバユニットにおいて、ＭＣＦ２０の先端とＧＲＩＮレンズ２２の一端とが互いに当接するように保持されている。そして、このように互いに当接された第１及び第２のファイバユニットの間に、光学フィルタ３０を介在させるようになっている。このような構成により、光合分波部品１は、マルチコアファイバに適用することが可能となっている。
【００３９】
また、光合分波部品１では、各ファイバユニットにおいて、ＭＣＦ１０，２０の先端とＧＲＩＮレンズ１２，２２の一端とが互いに当接するように保持されている。このため、ＭＣＦ１０，２０から出射するビームが空気層等を通ることなくＧＲＩＮレンズ１２，２２に直に入射するので、ＭＣＦ１０，２０の先端とＧＲＩＮレンズ１２，２２の一端との間でのビームの反射ロスを低減させることが可能である。また、このように反射するビームが低減されることにより、反射したビームが出射元のシステムに戻って雑音となりシステム全体へ影響を与えることを好適に抑制することもできる。
【００４０】
また、光合分波部品１では、ＭＣＦ１０の外径とＧＲＩＮレンズ１２の外径とが同じであり、また、ＭＣＦ２０の外径とＧＲＩＮレンズ２２の外径とが同じである。このため、ＭＣＦ１０，２０とＧＲＩＮレンズ１２，２２との軸合わせを容易に行うことができる。
【００４１】
また、光合分波部品１では、ＭＣＦ１０の先端とＧＲＩＮレンズ１２の一端とが互いに融着接続している。このため、ＭＣＦ１０，２０とＧＲＩＮレンズ１２，２２との当接が確実となり、使用時にずれたりすることが低減される。
【００４２】
また、光合分波部品１では、ＭＣＦ１０，２０は、ＧＲＩＮレンズ１２，２２との当接端部においてコア径が他の部分より若干拡大されている。このように光の入射端となる端部のコア径が大きくなるため、光合分波部品１の全体をそれほど大きくすることなく、光の入射を確実に行わせるための光軸合わせを容易に行うことができる。
【００４３】
また、光合分波部品１では、ＭＣＦ１０のコアそれぞれは、ＭＣＦ１０の中心軸に対して対称となるように配置され、当該対称となるように配置された対のコア間のピッチが他の対のコア間のピッチと同じとなっている。このため、光学フィルタ３０を挟む両ＭＣＦ１０，２０を、中心軸を中心として回転させることで光合分波部品１に光スイッチの機能を備えるようにさせることもできる。なお、光合分波部品１では、当該対称となるように配置された対のコア間のピッチが他の対のコア間のピッチと異なっていてもよい。この場合には、他の対のコアからのビームが別のコアに入射されるといったことが防止される。
（第２実施形態）
【００４４】
次に、本発明の第２実施形態に係る光合分波部品１Ａについて、図８を参照しながら説明する。第２実施形態に係る光合分波部品１Ａは、フェルールや光学フィルタの構成が第１実施形態と異なっており、以下、第１実施形態と相違する点を中心として説明する。
【００４５】
光合分波部品１Ａは、ＭＣＦ１０，２０と、ＧＲＩＮレンズ１２，２２と、フェルール３４と、光学フィルタ３０とを備えている。光合分波部品１Ａは、単一のフェルール３４内に、ＭＣＦ１０，２０と、ＧＲＩＮレンズ１２，２２と、光学フィルタ３０とが配置されている。光合分波部品１Ａでは、光学フィルタ３０は、ＧＲＩＮレンズ１２，２２の端面のみに接続されている。
【００４６】
このような構成を備えた光合分波部品１Ａを製造するには、まず、ＭＣＦ１０の先端とＧＲＩＮレンズ１２の一端とを融着接続させ、更にＧＲＩＮレンズ１２の他端に光学フィルタ３０を蒸着等により形成する。また、ＭＣＦ２０の先端とＧＲＩＮレンズ２２の一端とを融着接続させる。
【００４７】
続いて、図８の（ａ）に示されるように、光学フィルタ３０が蒸着されたＧＲＩＮレンズ１２及びＭＣＦ１０とＧＲＩＮレンズ２２及びＭＣＦ２０とを、単一のフェルール３４内に接着剤を介して配置する。その後、ＧＲＩＮレンズ１２等とＧＲＩＮレンズ２２等をフェルールの中心方向に移動させ、両者を接着剤によって固着する。この場合も、荷重をかけながら固定してもよい。これにより、光合分波部品１Ａが形成される。この光合分波部品１Ａでも、上述した第１実施形態の光合分波部品１と同様の作用効果を奏することができる。
（第３実施形態）
【００４８】
次に、本発明の第３実施形態に係る光合分波部品１Ｂについて、図９を参照しながら説明する。第３実施形態に係る光合分波部品１Ｂは、フェルールや光学フィルタの構成が第１実施形態と異なっており、以下、第１実施形態と相違する点を中心として説明する。
【００４９】
光合分波部品１Ｂは、ＭＣＦ１０，２０と、ＧＲＩＮレンズ１２，２２と、フェルール３４と、光学フィルタ３０とを備えている。光合分波部品１Ｂは、単一のフェルール３４内に、ＭＣＦ１０，２０と、ＧＲＩＮレンズ１２，２２と、光学フィルタ３０とが配置されている。光合分波部品１Ｂでは、光学フィルタ３０は、ＧＲＩＮレンズ１２，２２の端面及びフェルール３４の中央のスリット面にのみに接続されている。
【００５０】
このような構成を備えた光合分波部品１Ｂを製造するには、まず、ＭＣＦ１０の先端と共通ＧＲＩＮレンズ３２の一端とを融着接続させると共に、共通ＧＲＩＮレンズ３２の他端にＭＣＦ２０の先端を融着接続させる。そして、この融着接続されたＭＣＦ１０，２０と共通ＧＲＩＮレンズ３２とをフェルール３４内に配置する。
【００５１】
続いて、図９の（ｂ）に示されるように、フェルール３４の上端からＧＲＩＮレンズ３２を含めて下端の手前までに至るスリット溝３４ａを形成する。スリット溝３４ａを形成する際、共通ＧＲＩＮレンズ３２は２つのＧＲＩＮレンズ３２ａ，３２ｂに切断される。そして、図９の（ｃ）に示されるように、スリット溝３４ａに光学フィルタ３０を配置する。この場合、光学フィルタ３０と２つのＧＲＩＮレンズ１２（３２ａ），２２（３２ｂ）とを接着剤によって固着してもよいし、固着しなくてもよい。これにより、光合分波部品１Ｂが形成される。この光合分波部品１Ｂでも、上述した第１実施形態の光合分波部品１と同様の作用効果を奏することができる。
【００５２】
本発明は、上記実施形態に限られるものではなく、種々の変形を適用できる。例えば、図１０に示されるように、光合分波部品１Ｃが第１及び第２のファイバユニットを挟持するコネクタ部品４４を更に備え、コネクタ部品４４は、第１及び第２のファイバユニット（ＧＲＩＮレンズ１２，２２等）が光学フィルタ３０を介して対向して押圧されるように弾性保持する弾性保持機構４２を有していてもよい。この弾性保持機構４２は、スプリングをそれぞれ備えており、図示矢印Ｙ１，Ｙ２で示されるように、内側に向かってＧＲＩＮレンズ１２，２２をバネ圧によって付勢するようになっている。このように付勢することで、上述したように光学フィルタ３０の透過又は反射スペクトルシフトによって所望のスペクトルが得られるように調整することも可能である。
【００５３】
また、上記実施形態では、光合分波部品１〜１Ｃを局側のＷＤＭフィルタモジュールに適用した場合を例にとって説明したが、加入者端末側のＷＤＭフィルタモジュールに適用してもよいし、他の光合分波部品に適用してもよい。
【符号の説明】
【００５４】
１，１Ａ，１Ｂ，１Ｃ…光合分波部品、１０，２０…ＭＣＦ、１２，２２…ＧＲＩＮレンズ、３０…光学フィルタ。
【図１】
2013225010.tif 000003
【図２】
2013225010.tif 000004
【図３】
2013225010.tif 000005
【図４】
2013225010.tif 000006
【図５】
2013225010.tif 000007
【図６】
2013225010.tif 000008
【図７】
2013225010.tif 000009
【図８】
2013225010.tif 000010
【図９】
2013225010.tif 000011
【図１０】
2013225010.tif 000012